(57)【要約】【課題】  放熱性能に優れたＬＥＤ街路灯頭部の構造を提供する。【解決手段】  街路灯頭部１は、街路を照らす光源となる複数のＬＥＤラインランプ３の基板３ｂ裏面側が直接接触するＬＥＤ設置部８と、挿通孔１１の長さ方向と同じ方向を長手方向とするように設けられた多数の板状部材９ａで構成される放熱部９とを備える。ＬＥＤ設置部８の断面は、中央水平部８ａと、中央水平部の両側に連続し上方に傾斜する第一傾斜部８ｂ，８ｂと、第一傾斜部８ｂ，８ｂの外側に連続し下方に傾斜する第二傾斜部８ｃ，８ｃからなり、板状部材９ａは、断面が略放射状且つ略半円形状となるように設けられる。そして、ＬＥＤ設置部８と放熱部９とは、熱伝導性に優れた金属で一体的に成形される。【選択図】    図１
2011054348.tif 000002
【特許請求の範囲】
【請求項１】
地上に固定された街路灯支柱の先端に嵌め込んで使用される街路灯の頭部であって、
街路を照らす光源となる複数のＬＥＤラインランプが基板の裏面側を直接接触するように設置されるＬＥＤ設置部と、
頭部の全長にわたって設けられ、街路灯支柱の先端部が嵌め込まれる挿通孔と、
前記ＬＥＤ設置部と連続しており、前記挿通孔の長さ方向と同じ方向を長手方向とするように設けられた多数の板状部材で構成される放熱部
とを備え、
前記挿通孔の長さ方向と直交する前記ＬＥＤ設置部の断面は、中央水平部と、中央水平部の両側に連続し上方に傾斜する第一傾斜部と、第一傾斜部の外側に連続し下方に傾斜する第二傾斜部からなり、
前記挿通孔は、前記ＬＥＤ設置部の中央水平部の上方に設けられ、
前記放熱部は、前記挿通孔の長さ方向と直交する断面が略放射状且つ略半円形状であって、前記挿通孔を覆うように板状部材が設けられてなり、
前記ＬＥＤ設置部と前記放熱部とは、熱伝導性に優れた金属で一体的に成形されてなる
ことを特徴とする街路灯頭部。
【発明の詳細な説明】
【技術分野】
【０００１】
本発明は、自動車用道路、歩行者用道路などの道路を照明する街路灯の技術に関するものである。
【背景技術】
【０００２】
道路を照明する街路灯の光源として、近年、省電力、長寿命などの特徴を有する白色の発光ダイオード（ＬＥＤ）が注目されている。しかし、ＬＥＤは電流を印加すると発熱するため、高温になると樹脂などの構成部品の劣化や光量の低下を招来し、品質劣化、寿命の低下につながる。そのため、ＬＥＤを光源とする照明装置においては効率的な放熱が課題となっているが、とりわけ街路灯については、長時間の連続使用がなされること、高輝度のＬＥＤが多数使用されるため発熱量が比較的大きいこと、及びメンテナンス軽減のため長寿命が求められることから、特に効率的な放熱が要求される。
【０００３】
このようなＬＥＤ街路灯における放熱手段として、ＬＥＤモジュールに温度均一板を、温度均一板にサーモチューブをそれぞれ密着させ、サーモチューブによりＬＥＤから発生した熱を散熱体に伝導させて街路灯の外部へ放熱する手段が提案されている（特許文献１）。道路照明に使用される高輝度ＬＥＤランプは指向性が狭いため、高範囲の照明が要求される道路照明として使用する場合は、多数のＬＥＤランプを使用するとともに、道路面に対して複数の角度から照射するようにＬＥＤランプを設置する方が有効であるが、この手段によれば、道路面に対して複数の角度から照射することはできる。
【先行技術文献】
【特許文献】
【０００４】
【特許文献１】登録第３１２６６２８号登録実用新案公報
【発明の概要】
【発明が解決しようとする課題】
【０００５】
しかしながら、特許文献１に記載の手段では、ＬＥＤランプと街路灯の外部へ放熱を実現する部材である散熱体とが離隔しており、効率的な放熱にとって有効でない。また、ＬＥＤランプが設置される部材と放熱を実現する部材とが別部材で構成されており、部材間で熱伝導が阻害され放熱性能が低下してしまう。
【課題を解決するための手段】
【０００６】
上記の課題を解決するため、本発明は、地上に固定された街路灯支柱の先端に嵌め込んで使用される街路灯の頭部であって、街路を照らす光源となる複数のＬＥＤラインランプが基板の裏面側を直接接触するように設置されるＬＥＤ設置部と、頭部の全長にわたって設けられ、街路灯支柱の先端部が嵌め込まれる挿通孔と、前記ＬＥＤ設置部と連続しており、前記挿通孔の長さ方向と同じ方向を長手方向とするように設けられた多数の板状部材で構成される放熱部とを備え、前記挿通孔の長さ方向と直交する前記ＬＥＤ設置部の断面は、中央水平部と、中央水平部の両側に連続し上方に傾斜する第一傾斜部と、第一傾斜部の外側に連続し下方に傾斜する第二傾斜部からなり、前記挿通孔は、前記ＬＥＤ設置部の中央水平部の上方に設けられ、前記放熱部は、前記挿通孔の長さ方向と直交する断面が略放射状且つ略半円形状であって、前記挿通孔を覆うように板状部材が設けられてなり、前記ＬＥＤ設置部と前記放熱部とは、熱伝導性に優れた金属で一体的に成形されてなることを特徴とする。
【発明の効果】
【０００７】
本発明によれば、ＬＥＤ設置部が中央水平部、第一傾斜部、及び第二傾斜部という複数の面で構成されていることにより広範囲の照明を実現するとともに、放熱部が前記挿通孔の長さ方向と直交する断面において略放射状且つ略半円形状となる板状部材で構成されているため、ＬＥＤ設置部のいずれの面においても放熱部と近接させることができ、効率的な放熱が実現できる。さらに、ＬＥＤラインランプ基板の裏面側がＬＥＤ設置部に直接接触するように設置されるとともに、ＬＥＤ設置部と前記放熱部とが熱伝導性に優れた金属で一体的に成形されてなるため、ＬＥＤで発生した熱は熱伝導を阻害されることなくＬＥＤ設置部を介して放熱部へ伝導し、街路灯の外部に効率的に放熱することができる。よって、ＬＥＤランプの劣化や寿命の低下を防止することができる。
【図面の簡単な説明】
【０００８】
【図１】本発明の一実施形態に係る街路灯頭部の分解図である。
【図２】本発明の一実施形態に係る街路灯頭部の頭部本体を示す斜視図である。
【図３】図２のＡ−Ａ切断端面図である。
【図４】本発明の一実施形態に係る街路灯頭部の設置状態を示す図である。
【発明を実施するための形態】
【０００９】
以下、本発明に係るＬＥＤ街路灯の頭部の一実施形態について説明する。
【００１０】
本発明に係るＬＥＤ街路灯の頭部１は、主として、図１に示すように、頭部本体２、ＬＥＤラインランプ３、透光板４、キャップ５、先端側カバー６、及び基端側カバー７で構成される。
【００１１】
頭部本体２は、図２及び図３に示すように、複数のＬＥＤラインランプ３を設置するＬＥＤ設置部８、多数の板状部材９ａで構成される放熱部９、及び街路灯支柱１０の先端を挿通するための挿通孔１１が、アルミニウムを素材として鋳造により一体的に成型されている。また、頭部本体２の頭頂部には、挿通孔１１に連通する複数のネジ孔１２が設けられている。
【００１２】
ＬＥＤ設置部８は、中央水平部８ａ、中央水平部８ａの両側に連続し上方に傾斜する第一傾斜部８ｂ，８ｂ、及び第一傾斜部８ｂ，８ｂの外側に連続し下方に傾斜する第二傾斜部８ｃ，８ｃの合計５つの平面で構成されている。そして、第二傾斜部８ｃ，８ｃの外側端部には、断面が略コ字形状の板受部１３，１３が形成されている。
【００１３】
放熱部９は、挿通孔１１の長さ方向と同じ方向を長手方向とするように設けられた多数の板状部材９ａで構成されている。板状部材９ａをこのように配置することにより、たとえば街路灯頭部１をキャップ５が嵌め込まれる先端側をやや下方に傾斜させた状態で設置すれば、雨水は頭部先端側へ流れて滞留しない。また、板状部材９ａは、図３に示すように、挿通孔１１の長さ方向と直交する断面（図２のＡ−Ａ断面）が略放射状且つ略半円形状となるように設けられている。そして、中央水平部８ａの上方に設けられた挿通孔１１の周囲においては、板状部材９ａは挿通孔１１を覆うように設けられている。さらに、板状部材９ａは、中央水平部８ａ及び第一傾斜部８ｂ，８ｂ近傍においてはその基端側を可能な限りＬＥＤ設置部８の方向に大きく食い込むような形で、第二傾斜部８ｃ，８ｃ近傍においては直接連続する形で、各面の上方にそれぞれ近接して設けられている。
【００１４】
ＬＥＤラインランプ３は、複数個のＬＥＤ素子３ａが１つの基板３ｂ上にライン状に配され、ＬＥＤ素子３ａ間の基板３ｂの表面側は反射板で覆われて構成されている。ＬＥＤラインランプ３への電流は、頭部本体２の基端側に設けられているケーブル（図示せず）を介して支柱１０側の電源と接続されることにより供給される。
【００１５】
そして、ＬＥＤラインランプ３をＬＥＤ設置部８に設置する場合、ＬＥＤラインランプ３の基板３ｂの裏面側をＬＥＤ設置部８の各面と直接接触させている。これにより、ＬＥＤラインランプ３で発生した熱は、ＬＥＤ設置部８を介してＬＥＤ設置部８に近接する多数の板状部材９ａに伝導するため、街路灯頭部１の外部への効率的な放熱が実現できる。また、ＬＥＤラインランプ３を、ＬＥＤ設置部８の中央水平部８ａ、第一傾斜部８ｂ，８ｂ、および第二傾斜部８ｃ，８ｃの各面に設置しているため、指向性の低い高輝度ＬＥＤランプを使用しても高範囲の照明が実現できる。
【００１６】
本実施形態における透光板４は透明なガラス板であり、両側にシリコン製のシール部材４ａ，４ａが設けられている。
【００１７】
ここで、本実施形態の街路灯頭部１を設置する手順を説明する。
【００１８】
まず、道路上を照明するのに必要な光量を得られる数のＬＥＤラインランプ３を、ＬＥＤ設置部８の各面に、基板３ｂの裏面側がＬＥＤ設置部８に直接接触するように設置し、固定する。そして、透光板４のシール部材４ａ，４ａが設けられた両側端部を頭部本体２の板受部１３に挿通する。その後、先端側カバー６と基端側カバー７をそれぞれネジ止めして透光板４を固定する。このとき、板受部１３、先端側カバー６、及び基端側カバー７においては、それぞれ頭部本体２及び透光板４と接触する部位にシリコン製のシール部材（図示せず）が設けられているため、透光板４の固定後はＬＥＤラインランプ３が設置される空間は液密に密閉される。あわせて、雨水などの挿通孔１１内への侵入を防止するため、挿通孔１１の先端側を覆うキャップ５を取り付ける。
【００１９】
そして、ＬＥＤラインランプ３への電流を供給するケーブル（図示せず）を支柱１０側の電源と接続するとともに、挿通孔１１に支柱１０の先端を頭部本体２の先端側のキャップ５付近まで挿通させる。最後に、頭部本体２の頭頂部に設けられたネジ孔１２を介してネジ止めすることにより、図４に示すように、街路灯頭部１を支柱１０の先端に固定する。かかる挿通孔１０により、街路灯頭部１を容易かつ確実に支柱１０の先端に固定することができる。以上で街路灯頭部１の設置が完了する。
【００２０】
以上、本発明に係るＬＥＤ街路灯頭部１の一実施形態について説明したが、本発明はこの実施形態に限定されるものでなく、適宜変更可能である。たとえば、頭部本体２は熱伝導性に優れた金属であればアルミニウム以外の素材で製造してもよい。また、透光板４は、合成樹脂板を使用することもでき、ＬＥＤラインランプ３から発生した光を拡散させるレンズを使用することもできる。
【符号の説明】
【００２１】
１    街路灯頭部
２    頭部本体
３    ＬＥＤラインランプ
３ａ  ＬＥＤ素子
３ｂ  基板（反射板）
４    透光板
４ａ  シール部材
５    キャップ
６    先端側カバー
７    基端側カバー
８    ＬＥＤ設置部
８ａ  中央水平部
８ｂ  第一傾斜部
８ｃ  第二傾斜部
９    放熱部
９ａ  板状部材
１０  街路灯支柱
１１  挿通孔
１２  ネジ孔
１３  板受部
【図１】
2011054348.tif 000003
【図２】
2011054348.tif 000004
【図３】
2011054348.tif 000005
【図４】
2011054348.tif 000006